(57)【要約】【課題】車椅子構成要素のためのヒンジアセンブリの提供。【解決手段】ヒンジアセンブリは、第１の開口を画定する第１の外側フィンガを含む第１のヒンジ部材であって、第１の開口は、第１の円周方向テーパ状表面を含む、第１のヒンジ部材と、第２の開口を画定する第２の外側フィンガを含む第２のヒンジ部材であって、第２の開口は、第２の円周方向テーパ状表面を含む、第２のヒンジ部材と、第１のハブと第２のハブと締結具とを含む締結具アセンブリであって、第１のハブは、第１の円周方向テーパ状表面を補完する円周方向テーパ状表面を含み、第２のハブは、第２の円周方向テーパ状表面を補完する円周方向テーパ状表面を含む、締結具アセンブリとを含み、締結具アセンブリは、第１のヒンジ部材を第２のヒンジ部材に接続するように構成される。【選択図】図３
2022003271.tif 000002
【特許請求の範囲】
【請求項１】
第１の外側開口を画定する第１の外側フィンガと第１の内側開口を画定する少なくとも１つの第１の内側フィンガとを含む第１のヒンジ部材であって、前記第１の外側開口は、第１の円周方向テーパ状表面を含む、第１のヒンジ部材と、
第２の外側開口を画定する第２の外側フィンガと第２の内側開口を画定する少なくとも１つの第２の内側フィンガとを含む第２のヒンジ部材であって、前記第２の外側開口は、第２の円周方向テーパ状表面を含む、第２のヒンジ部材と、
第１のハブと第２のハブと締結具とを含む締結具アセンブリであって、前記第１のハブは、前記第１の円周方向テーパ状表面を補完する円周方向テーパ状表面を含み、前記第２のハブは、前記第２の円周方向テーパ状表面を補完する円周方向テーパ状表面を含む、締結具アセンブリと
を備えるヒンジアセンブリであって、
前記第１のハブは、開口部を画定し、前記第２のハブは、前記第１のハブおよび前記第２のハブを相互係止するように前記開口部によって受け取られる突起を含み、
前記第１のヒンジ部材の前記第１の外側フィンガおよび前記少なくとも１つの第１の内側フィンガは、前記第２のヒンジ部材の前記第２の外側フィンガおよび前記少なくとも１つの第２の内側フィンガと相互噛合されており、前記第１の外側開口および前記第２の内側開口および前記第１の内側開口および前記第２の外側開口は、整列されており、かつ、前記締結具アセンブリを受け取るように構成されており、
前記締結具アセンブリは、前記第１のハブの円周方向テーパ状表面が前記第１の外側開口の第１の円周方向テーパ状表面に係合するように、前記第１の外側開口によって受け取られている前記第１のハブによって、前記第１のヒンジ部材を前記第２のヒンジ部材に接続するように構成されており、前記第２のハブは、前記第２のハブの円周方向テーパ状表面が前記第２の外側開口の第２の円周方向テーパ状表面に係合するように、前記第２の外側開口によって受け取られ、前記締結具は、前記第１のハブを前記第２のハブに結合し、前記締結具アセンブリは、前記相互噛合されたフィンガを一緒に応答性よく圧縮する、ヒンジアセンブリ。
【請求項２】
前記第１のハブは、それを通して第１の通路を画定し、前記第２のハブは、それを通して第２の通路を画定し、前記締結具は、前記第１の通路および前記第２の通路によって受け取られる、請求項１に記載のヒンジアセンブリ。
【請求項３】
前記締結具は、ねじ山付き部分を含み、前記ねじ山付き部分は、前記第１の通路によって受け取られ、前記第２の通路内の補完的ねじ山付き部分に係合する、請求項２に記載のヒンジアセンブリ。
【請求項４】
前記開口部は、相互係止されることに応答して前記第１のハブが前記第２のハブに対して回転することを制限されるように、前記突起の形状を補完する形状を有する、請求項１に記載のヒンジアセンブリ。
【請求項５】
相互係止されることに応答して、前記第２のハブは、前記第１のハブに対して回転することを制限される、請求項４に記載のヒンジアセンブリ。
【請求項６】
前記第１のハブは、前記第１のハブを通して延在しかつ前記開口部に接続される第１の通路を画定し、前記第２のハブは、前記突起および前記第２のハブを通して延在する第２の通路を画定し、前記締結具は、前記第１の通路および前記第２の通路によって受け取られる、請求項１に記載のヒンジアセンブリ。
【請求項７】
前記締結具は、ねじ山付き部分を含み、前記ねじ山付き部分は、前記第１の通路によって受け取られ、前記開口部を通して延在し、前記第２の通路内の補完的ねじ山付き部分に係合する、請求項６に記載のヒンジアセンブリ。
【請求項８】
前記少なくとも１つの第１の内側フィンガは、第１の空間によって前記第１の外側フィンガから分離されており、
前記少なくとも１つの第２の内側フィンガは、第２の空間によって前記第２の外側フィンガから分離されている、請求項１に記載のヒンジアセンブリ。
【請求項９】
前記第１のヒンジ部材が前記第２のヒンジ部材に接続されることに応答して、前記少なくとも１つの第２の内側フィンガは、前記第１の空間内に受け取られ、前記少なくとも１つの第１の内側フィンガは、前記第２の空間内に受け取られる、請求項８に記載のヒンジアセンブリ。
【請求項１０】
前記第１の内側開口の直径は、前記第１の外側開口の直径を超えない、請求項１に記載のヒンジアセンブリ。
【請求項１１】
前記第２の内側開口の直径は、前記第２の外側開口の直径を超えない、請求項１０に記載のヒンジアセンブリ。
【請求項１２】
前記第１のヒンジ部材は、頭部支持体の第１の関節運動式部材であり、前記第２のヒンジ部材は、前記頭部支持体の第２の関節運動式部材であり、前記頭部支持体は、人間の頭部を支持するように構成されている、請求項１に記載のヒンジアセンブリ。
【請求項１３】
複数の第１のフィンガを含む第１のヒンジ部材であって、各第１のフィンガは、第１の開口を画定する、第１のヒンジ部材と、
複数の第２のフィンガを含む第２のヒンジ部材であって、各第２のフィンガは、第２の開口を画定する、第２のヒンジ部材と、
第１のハブと第２のハブと締結具とを含む締結具アセンブリであって、前記第１のハブは、開口部を画定し、前記第２のハブは、突起を含む、締結具アセンブリと
を備えるヒンジアセンブリであって、
前記締結具アセンブリは、前記第１の開口および前記第２の開口によって受け取られるように構成されており、前記第１のハブによって画定される前記開口部は、前記第２のハブの突起を受け取り、前記第１のヒンジ部材を前記第２のヒンジ部材に選択的に接続するように構成されており、前記締結具アセンブリは、前記複数の第１のフィンガおよび前記複数の第２のフィンガを一緒に圧縮し、
前記第１のハブは、前記第１のハブを通して延在しかつ前記開口部に接続される第１の通路を画定し、前記第２のハブは、前記突起および前記第２のハブを通して延在する第２の通路を画定し、前記締結具は、前記第１の通路および前記第２の通路によって受け取られる、ヒンジアセンブリ。
【請求項１４】
前記締結具は、ねじ山付き部分を含み、前記ねじ山付き部分は、前記第１の通路によって受け取られ、前記開口部を通して延在し、前記第２の通路内の補完的ねじ山付き部分に係合する、請求項１３に記載のヒンジアセンブリ。
【請求項１５】
前記第１のハブによって画定される前記開口部は、前記第２のハブの前記突起を受け取り、前記第１のハブおよび前記第２のハブを相互係止するように構成されており、相互係止されることに応答して、前記第１のハブは、前記第２のハブに対して回転することを制限される、請求項１３に記載のヒンジアセンブリ。
【請求項１６】
前記第１の開口のうちの１つの周囲に円周方向に延在する第１のテーパ状表面と、
前記第１のハブの周囲に円周方向に延在する第２のテーパ状表面と
をさらに備え、
前記第１のハブが前記第１の開口によって受け取られることに応答して、前記第１のテーパ状表面は、前記第２のテーパ状表面に係合する、請求項１３に記載のヒンジアセンブリ。
【請求項１７】
前記第２の開口のうちの１つの周囲に円周方向に延在する第１のテーパ状表面と、
前記第２のハブの周囲に円周方向に延在する第２のテーパ状表面と
をさらに備え、
前記第２のハブが前記第２の開口によって受け取られることに応答して、前記第１のテーパ状表面は、前記第２のテーパ状表面に係合する、請求項１３に記載のヒンジアセンブリ。
【請求項１８】
第１の外側開口を画定する第１の外側フィンガと第１の内側開口を画定する第１の内側フィンガとを含む第１のヒンジ部材であって、前記第１の外側開口は、第１の円周方向テーパ状表面を含む、第１のヒンジ部材と、
第２の外側開口を画定する第２の外側フィンガと第２の内側開口を画定する第２の内側フィンガとを含む第２のヒンジ部材であって、前記第２の外側開口は、第２の円周方向テーパ状表面を含む、第２のヒンジ部材と、
第１のハブと第２のハブと締結具とを含む締結具アセンブリであって、前記第１のハブは、前記第１の円周方向テーパ状表面を補完する円周方向テーパ状表面を含み、前記第２のハブは、前記第２の円周方向テーパ状表面を補完する円周方向テーパ状表面を含む、締結具アセンブリと
を備えるヒンジアセンブリであって、
前記締結具アセンブリは、前記第１のハブの円周方向テーパ状表面が前記第１の外側開口の第１の円周方向テーパ状表面に係合するように、前記第１の外側開口によって受け取られている前記第１のハブによって、前記第１のヒンジ部材を前記第２のヒンジ部材に接続するように構成されており、前記第２のハブは、前記第２のハブの円周方向テーパ状表面が前記第２の外側開口の第２の円周方向テーパ状表面に係合するように、前記第２の外側開口によって受け取られ、前記締結具は、前記第１のハブを前記第２のハブに結合し、前記締結具アセンブリは、前記第１の外側フィンガおよび前記第１の内側フィンガおよび前記第２の外側フィンガおよび前記第２の内側フィンガを一緒に圧縮し、
前記第１のヒンジ部材は、頭部支持体の第１の関節運動式部材であり、前記第２のヒンジ部材は、前記頭部支持体の第２の関節運動式部材であり、前記頭部支持体は、人間の頭部を支持するように構成されている、ヒンジアセンブリ。
【請求項１９】
前記第１の外側開口および前記第１の内側開口および前記第２の外側開口および前記第２の内側開口は、整列して前記締結具アセンブリを受け取る、請求項１８に記載のヒンジアセンブリ。
【請求項２０】
前記第１のハブは、それを通して第１の通路を画定し、前記第２のハブは、それを通して第２の通路を画定し、前記締結具は、前記第１の通路および前記第２の通路によって受け取られる、請求項１８に記載のヒンジアセンブリ。
【請求項２１】
前記締結具は、ねじ山付き部分を含み、前記ねじ山付き部分は、前記第１の通路によって受け取られ、前記第２の通路内の補完的ねじ山付き部分に係合する、請求項２０に記載のヒンジアセンブリ。
【請求項２２】
前記第１のハブは、開口部を画定し、前記第２のハブは、前記第１のハブおよび前記第２のハブを相互係止するように前記開口部によって受け取られる突起を含む、請求項１８に記載のヒンジアセンブリ。
【請求項２３】
前記開口部は、相互係止されることに応答して前記第１のハブが前記第２のハブに対して回転することを制限されるように、前記突起の形状を補完する形状を有する、請求項２２に記載のヒンジアセンブリ。
【請求項２４】
相互係止されることに応答して、前記第２のハブは、前記第１のハブに対して回転することを制限される、請求項２３に記載のヒンジアセンブリ。
【請求項２５】
前記第１のハブは、前記第１のハブを通して延在しかつ前記開口部に接続される第１の通路を画定し、前記第２のハブは、前記突起および前記第２のハブを通して延在する第２の通路を画定し、前記締結具は、前記第１の通路および前記第２の通路によって受け取られる、請求項２２に記載のヒンジアセンブリ。
【請求項２６】
前記締結具は、ねじ山付き部分を含み、前記ねじ山付き部分は、前記第１の通路によって受け取られ、前記開口部を通して延在し、前記第２の通路内の補完的ねじ山付き部分に係合する、請求項２５に記載のヒンジアセンブリ。
【請求項２７】
前記締結具アセンブリは、前記第１のヒンジ部材の前記第１の内側フィンガおよび前記第１の外側フィンガによって、前記第１のヒンジ部材を前記第２のヒンジ部材に接続するように構成されており、前記第１のヒンジ部材の前記第１の内側フィンガおよび前記第１の外側フィンガは、前記第２のヒンジ部材の前記第２の内側フィンガおよび前記第２の外側フィンガと相互噛合する、請求項１８に記載のヒンジアセンブリ。
【請求項２８】
前記第１のヒンジ部材が前記第２のヒンジ部材に接続されることに応答して、前記第２の内側フィンガは、前記第１の空間内に受け取られ、前記第１の内側フィンガは、前記第２の空間内に受け取られ、前記フィンガを相互噛合する、請求項２７に記載のヒンジアセンブリ。
【請求項２９】
前記第１の内側開口の直径は、前記第１の外側開口の直径を超えない、請求項２７に記載のヒンジアセンブリ。
【請求項３０】
前記第２の内側開口の直径は、前記第２の外側開口の直径を超えない、請求項２９に記載のヒンジアセンブリ。
【発明の詳細な説明】
【技術分野】
【０００１】
（関連出願に対する相互参照）
本願は、「ＡＲＴＩＣＵＬＡＴＩＮＧ  ＨＥＡＤ  ＳＵＰＰＯＲＴ」と題され、２０１７年８月１１日に出願された米国仮特許出願第６２／５４４，１５８号の優先権を主張し、その内容全体が、参照することにより、本明細書に援用される。
【０００２】
（分野）
本開示は、関節運動式車椅子構成要素のためのヒンジアセンブリに関する。より具体的には、本開示は、広い可動域、改良された強度を提供し、かつ、車椅子の構成要素（例えば、頭部支持体）を支持するために使用されることができる改良されたヒンジアセンブリに関する。
【発明の概要】
【課題を解決するための手段】
【０００３】
（要旨）
一実施形態では、本開示は、ヒンジアセンブリを提供し、ヒンジアセンブリは、第１の開口を画定する第１の外側フィンガを含む第１のヒンジ部材であって、第１の開口は、第１の円周方向テーパ状表面を含む、第１のヒンジ部材と、第２の開口を画定する第２の外側フィンガを含む第２のヒンジ部材であって、第２の開口は、第２の円周方向テーパ状表面を含む、第２のヒンジ部材と、第１のハブと第２のハブと締結具とを含む締結具アセンブリであって、第１のハブは、第１の円周方向テーパ状表面を補完する円周方向テーパ状表面を含み、第２のハブは、第２の円周方向テーパ状表面を補完する円周方向テーパ状表面を含む、締結具アセンブリとを含む。締結具アセンブリは、第１のハブの円周方向テーパ状表面が第１の開口の第１の円周方向テーパ状表面に係合するように、第１の開口によって受け取られている第１のハブによって、第１のヒンジ部材を第２のヒンジ部材に接続するように構成され、第２のハブは、第２のハブの円周方向テーパ状表面が第２の開口の第２の円周方向テーパ状表面に係合するように、第２の開口によって受け取られ、締結具は、第１のハブを第２のハブに結合する。
【０００４】
別の実施形態では、本開示は、ヒンジアセンブリを提供し、ヒンジアセンブリは、第１の開口を画定する第１の外側フィンガを含む第１のヒンジ部材と、第２の開口を画定する第２の外側フィンガを含む第２のヒンジ部材と、第１のハブと第２のハブと締結具とを含む締結具アセンブリであって、第１のハブは、開口部を画定し、第２のハブは、突起を含む、締結具アセンブリとを含む。締結具アセンブリは、第１の開口および第２の開口によって受け取られるように構成され、第１のハブによって画定される開口部は、第２のハブの突起を受け取り、第１のヒンジ部材を第２のヒンジ部材に選択的に接続するように構成される。
【０００５】
別の実施形態では、本開示は、関節運動式アームを含む関節運動式頭部支持体を提供する。関節運動式アームは、少なくとも、第１の部材と、第２の部材とを含む。第１の部材および第２の部材は、各々、第１の端部と、第１の端部の反対側の第２の端部とを含む。各端部は、複数の離間したフィンガを含み、各フィンガは、開口を画定する。第１の部材は、締結具を受け取るように開口が整列するフィンガの噛合関係によって、第２の部材に結合する。整列された開口はまた、軸を画定する。第１の部材および第２の部材は、軸の周りで相互に対して回転する。
【０００６】
本発明の他の側面は、詳細な説明および付随の図面の考慮によって明白になる。
本発明は、例えば、以下を提供する。
（項目１）
第１の開口を画定する第１の外側フィンガを含む第１のヒンジ部材であって、前記第１の開口は、第１の円周方向テーパ状表面を含む、第１のヒンジ部材と、
第２の開口を画定する第２の外側フィンガを含む第２のヒンジ部材であって、前記第２の開口は、第２の円周方向テーパ状表面を含む、第２のヒンジ部材と、
第１のハブと第２のハブと締結具とを含む締結具アセンブリであって、前記第１のハブは、前記第１の円周方向テーパ状表面を補完する円周方向テーパ状表面を含み、前記第２のハブは、前記第２の円周方向テーパ状表面を補完する円周方向テーパ状表面を含む、締結具アセンブリと
を備えるヒンジアセンブリであって、
前記締結具アセンブリは、前記第１のハブの円周方向テーパ状表面が前記第１の開口の第１の円周方向テーパ状表面に係合するように、前記第１の開口によって受け取られている前記第１のハブによって、前記第１のヒンジ部材を前記第２のヒンジ部材に接続するように構成され、前記第２のハブは、前記第２のハブの円周方向テーパ状表面が前記第２の開口の第２の円周方向テーパ状表面に係合するように、前記第２の開口によって受け取られ、前記締結具は、前記第１のハブを前記第２のハブに結合する、ヒンジアセンブリ。
（項目２）
前記第１の開口および前記第２の開口は、整列して前記締結具アセンブリを受け取る、項目１に記載のヒンジアセンブリ。
（項目３）
前記第１のハブは、それを通して第１の通路を画定し、前記第２のハブは、それを通して第２の通路を画定し、前記締結具は、前記第１の通路および前記第２の通路によって受け取られる、項目１に記載のヒンジアセンブリ。
（項目４）
前記締結具は、ねじ山付き部分を含み、前記ねじ山付き部分は、前記第１の通路によって受け取られ、前記第２の通路内の補完的ねじ山付き部分に係合する、項目３に記載のヒンジアセンブリ。
（項目５）
前記第１のハブは、開口部を画定し、前記第２のハブは、前記第１のハブおよび前記第２のハブを相互係止するように前記開口部によって受け取られる突起を含む、項目１に記載のヒンジアセンブリ。
（項目６）
前記開口部は、相互係止されることに応答して前記第１のハブが前記第２のハブに対して回転することを制限されるように、前記突起の形状を補完する形状を有する、項目５に記載のヒンジアセンブリ。
（項目７）
相互係止されることに応答して、前記第２のハブは、前記第１のハブに対して回転することを制限される、項目６に記載のヒンジアセンブリ。
（項目８）
前記第１のハブは、前記第１のハブを通して延在しかつ前記開口部に接続される第１の通路を画定し、前記第２のハブは、前記突起および前記第２のハブを通して延在する第２の通路を画定し、前記締結具は、前記第１の通路および前記第２の通路によって受け取られる、項目５に記載のヒンジアセンブリ。
（項目９）
前記締結具は、ねじ山付き部分を含み、前記ねじ山付き部分は、前記第１の通路によって受け取られ、前記開口部を通して延在し、前記第２の通路内の補完的ねじ山付き部分に係合する、項目８に記載のヒンジアセンブリ。
（項目１０）
前記第１のヒンジ部材上に含まれる第１の内側フィンガであって、前記第１の内側フィンガは、第３の開口を画定し、前記第１の内側フィンガは、第１の空間によって前記第１の外側フィンガから分離される、第１の内側フィンガと、
前記第２のヒンジ部材上に含まれる第２の内側フィンガであって、前記第２の内側フィンガは、第４の開口を画定し、前記第２の内側フィンガは、第２の空間によって前記第２の外側フィンガから分離される、第２の内側フィンガと
をさらに備え、
前記締結具アセンブリは、前記第１のヒンジ部材を前記第２のヒンジ部材に接続するように、前記第１の開口、前記第４の開口、前記第３の開口、および前記第２の開口によって受け取られる、項目１に記載のヒンジアセンブリ。
（項目１１）
前記第１のヒンジ部材が前記第２のヒンジ部材に接続されることに応答して、前記第２の内側フィンガは、前記第１の空間内に受け取られ、前記第１の内側フィンガは、前記第２の空間内に受け取られる、項目１０に記載のヒンジアセンブリ。
（項目１２）
前記第３の開口の直径は、前記第１の開口の直径を超えない、項目９に記載のヒンジアセンブリ。
（項目１３）
前記第４の開口の直径は、前記第２の開口の直径を超えない、項目１２に記載のヒンジアセンブリ。
（項目１４）
前記第１のヒンジ部材は、頭部支持体の第１の関節運動式部材であり、前記第２のヒンジ部材は、前記頭部支持体の第２の関節運動式部材である、項目１に記載のヒンジアセンブリ。
（項目１５）
第１の開口を画定する第１の外側フィンガを含む第１のヒンジ部材と、
第２の開口を画定する第２の外側フィンガを含む第２のヒンジ部材と、
第１のハブと第２のハブと締結具とを含む締結具アセンブリであって、前記第１のハブは、開口部を画定し、前記第２のハブは、突起を含む、締結具アセンブリと
を備えるヒンジアセンブリであって、
前記締結具アセンブリは、前記第１の開口および前記第２の開口によって受け取られるように構成され、前記第１のハブによって画定される前記開口部は、前記第２のハブの突起を受け取り、前記第１のヒンジ部材を前記第２のヒンジ部材に選択的に接続するように構成される、ヒンジアセンブリ。
（項目１６）
前記第１のハブは、前記第１のハブを通して延在しかつ前記開口部に接続される第１の通路を画定し、前記第２のハブは、前記突起および前記第２のハブを通して延在する第２の通路を画定し、前記締結具は、前記第１の通路および前記第２の通路によって受け取られる、項目１５に記載のヒンジアセンブリ。
（項目１７）
締結具は、ねじ山付き部分を含み、前記ねじ山付き部分は、前記第１の通路によって受け取られ、前記開口部を通して延在し、前記第２の通路内の補完的ねじ山付き部分に係合する、項目１６に記載のヒンジアセンブリ。
（項目１８）
前記第１のハブによって画定される前記開口部は、前記第２のハブの前記突起を受け取り、前記第１のハブおよび前記第２のハブを相互係止するように構成され、相互係止されることに応答して、前記第１のハブは、前記第２のハブに対して回転することを制限される、項目１５に記載のヒンジアセンブリ。
（項目１９）
前記第１の開口の周囲に円周方向に延在する第１のテーパ状表面と、
前記第１のハブの周囲に円周方向に延在する第２のテーパ状表面と
をさらに備え、
前記第１のハブが前記第１の開口によって受け取られることに応答して、前記第１のテーパ状表面は、前記第２のテーパ状表面に係合する、項目１５に記載のヒンジアセンブリ。
（項目２０）
前記第２の開口の周囲に円周方向に延在する第１のテーパ状表面と、
前記第２のハブの周囲に円周方向に延在する第２のテーパ状表面と
をさらに備え、
前記第２のハブが前記第２の開口によって受け取られることに応答して、前記第１のテーパ状表面は、前記第２のテーパ状表面に係合する、項目１５に記載のヒンジアセンブリ。
【図面の簡単な説明】
【０００７】
【図１】図１は、椅子と併用するための関節運動式頭部支持体の実施形態の斜視図である。
【０００８】
【図２】図２は、図１の関節運動式頭部支持体の分解図である。
【０００９】
【図３】図３は、図１の関節運動式頭部支持体において使用するための２つの関節運動式部材の分解斜視図であり、ヒンジアセンブリを図示するように提供される。
【００１０】
【図４】図４は、図１の関節運動式頭部支持体と併用するための第１のヒンジ部材の実施形態の側面図であり、ヒンジアセンブリの構成要素を図示する。
【００１１】
【図５】図５は、図４の線５−５に沿ってとられた図４の第１のヒンジ部材の断面図である。
【００１２】
【図６】図６は、図１の関節運動式頭部支持体と併用するための第２のヒンジ部材の実施形態の側面図であり、ヒンジアセンブリの構成要素を図示する。
【００１３】
【図７】図７は、図６の線７−７に沿ってとられた図６の第２のヒンジ部材の断面図である。
【００１４】
【図８】図８は、ヒンジアセンブリと併用するための締結具アセンブリの一部の分解図である。
【００１５】
【図９】図９は、図８の線９−９に沿ってとられた図８の締結具アセンブリの一部の断面図である。
【００１６】
【図１０】図１０は、図１の関節運動式頭部支持体の第１の側面図である。
【００１７】
【図１１】図１１は、図１の関節運動式アームの第２の側面図であり、第２の側面図は、図１０の第１の側面図の反対側である。
【００１８】
【図１２】図１２は、図１の調節可能な頭部支持体の平面図である。
【発明を実施するための形態】
【００１９】
（詳細な説明）
本発明の任意の実施形態が詳細に解説される前に、本発明が、その用途において、以下の説明に記載される、または、以下の図面に図示される構成要素の構造および配列の詳細に限定されないことを理解されたい。本発明は、他の実施形態が可能であり、かつ、種々の方法で実践または実施されることが可能である。
【００２０】
本開示は、椅子（より具体的には、車椅子）と併用するために構成される関節運動式頭部支持体１０を図示するが、関節運動式頭部支持体１０は、車椅子との併用のために限定されないことを理解されたい。関節運動式頭部支持体１０は、着席している間に個人を支持するために適切である任意の適切な椅子または支持デバイスと併用されることができる。故に、本明細書で使用される場合、用語「椅子」は、車椅子、肘掛け椅子、揺り椅子、車の座席、回転椅子、事務椅子、リクライニングチェア、ディレクターズチェア、幼児用椅子、ソファ、背付きスツール、および／または任意の臨床／医療用椅子（例えば、外科用椅子、歯科用椅子、カイロプラクティックチェア、またはマッサージチェア）を含むことができるが、これらに限定されない。故に、関節運動式頭部支持体１０は、任意のそのような適切な椅子に接続され（その上に搭載され）、次いで、椅子に着席している個人のために頭部支持を提供するように調節されることができる。
【００２１】
加えて、本開示は、頭部支持体１０の関節運動式アーム１４と併用するためのヒンジアセンブリ２００を図示する。ヒンジアセンブリ２００は、頭部支持体１０と併用するために限定されず、任意の２つの適切な部材を接続するために使用されることができることを理解されたい。例えば、ヒンジアセンブリ２００は、車椅子の他の構成要素に使用されることができ、車椅子の他の構成要素は、切断患者支持体、側方胴体支持体、側方骨盤支持体あるいは大腿部支持体、脚支持体、足支持体、または、車椅子に取付可能な任意の他の適切な構造を含むが、これらに限定されない。さらに、ヒンジアセンブリ２００は、調節可能なヒンジを有することが有利である任意の他の構造と併用されることができる。
【００２２】
ここで図を参照すると、図１〜図１０は、関節運動式頭部支持体１０および関連付けられるヒンジアセンブリ２００の実施形態を図示する。関節運動式頭部支持体１０は、適切な椅子（例えば、車椅子（図示せず））に搭載されるように構成される。関節運動式頭部支持体１０はまた、（図１に示される）Ｘ軸、Ｙ軸およびＺ軸の周りで３次元で調節され、椅子に着席している個人のために頭部支持を提供するように構成される。
【００２３】
ここで図１を参照すると、関節運動式頭部支持体１０は、関節運動式アーム１４を含む。関節運動式アーム１４は、第１の端部において高さ調節部材１８に、および、第１の端部の反対側の第２の端部において玉継手アセンブリ２２に結合される。関節運動式アーム１４は、高さ調節部材１８と玉継手アセンブリ２２との間に配置される関節運動式部分２６を含む。図示されていないが、関節運動式頭部支持体１０は、椅子取付アセンブリに移動可能に結合されることができる。例えば、高さ調節部材１８は、Ｙ軸に沿った高さ調節部材１８の調節を容易にするように、搭載ブラケット（または他の取付アセンブリ）（図示せず）によって椅子に摺動可能に（または移動可能に）結合されることができる。加えて、頭部支持体（またはヘッドレスト）は、関節運動式頭部支持体１０に移動可能に（または枢動可能に）結合されることができる。例えば、頭部支持体が、玉継手アセンブリ２２に対して移動（または枢動）し、頭部支持体の調節および／または再配置を容易にすることができるように、玉継手アセンブリ２２は、頭部支持体（図示せず）に係合することができる。
【００２４】
関節運動式部分２６は、複数の相互接続された関節運動式部材３０、３４、３８を含む。図示される実施形態では、３つの関節運動式部材３０、３４、３８は、関節運動式アーム１４の関節運動式部分２６を画定する。しかしながら、他の実施形態では、１つ、２つ、または４つ以上の部材が、アーム１４の関節運動式部分２６を画定することができる。
【００２５】
図２を参照すると、関節運動式部材３０、３４、３８の各々は、第１の端部４６と、第１の端部４６の反対側の第２の端部５０とを含む。各端部４６、５０は、少なくとも１つのフィンガ５４を含む。各フィンガ５４は、個別の第１の端部４６および第２の端部５０から延在（または突出）する。図示される実施形態では、関節運動式部材３０、３４、３８の各端部４６、５０は、複数のフィンガ５４（より具体的には、２つのフィンガ５４）を含む。他の実施形態では、各端部は、単一のフィンガ５４または３つ以上のフィンガ５４を含むことができる。複数のフィンガ５４を組み込む実施形態では、空間５８が、各隣接するフィンガ５４の間に位置付けられる。
【００２６】
図２を継続して参照すると、第１の関節運動式部材３０は、関節運動式部分２６を高さ調節部材１８に結合する。第１の関節運動式部材３０は、第１の端部４６と、第１の端部４６の反対側の第２の端部５０と、中央区分６０とを含む。
【００２７】
フィンガ５４は、第１の端部４６から延在し、空間５８によって離間される。フィンガ５４は、各々、開口６２を含み、開口は、整列される。第２の端部５０から延在するフィンガ５４も、各々、開口６２を含み、開口６２は、整列される。第１の端部４６および第２の端部５０上のフィンガ５４は、オフセットされる（例えば、９０度だけ回転オフセットされる等）。換言すると、第１の端部４６上に位置付けられるフィンガ５４内の開口６２は、第２の端部５０上のフィンガ５４内の開口６２が沿って整列される第２の開口軸と垂直（または直交）である第１の開口軸に沿って整列される。他の実施形態では、第１の開口軸は、第２の開口軸に対して任意の適切な角度で配向されることができる。
【００２８】
第１の関節運動式部材３０は、締結具アセンブリ８２によって第２の関節運動式部材３４に結合される。第２の関節運動式部材３４は、第１の端部４６と、第１の端部４６の反対側の第２の端部５０と、中央区分６４とを含む。中央区分６４は、弓状（または曲線状）形状を有する。しかしながら、他の実施形態では、中央区分６４は、直線状であり得る、または、任意の適切な形状を有し得る。締結具アセンブリ８２は、ヒンジアセンブリ２００を画定するように、第１の関節運動式部材３０および第２の関節運動式部材３４上のフィンガ５４の整列された開口６２によって受け取られる。より具体的には、第１の関節運動式部材３０の第２の端部５０上のフィンガ５４は、第２の関節運動式部材３４の第１の端部４６上のフィンガ５４と介在（または相互噛合）される。換言すると、第１の関節運動式部材３０および第２の関節運動式部材３４上のフィンガ５４のうちの一方は、それぞれ、第２の関節運動式部材３４および第１の関節運動式部材３０のうちの他方上の空間５８によって受け取られる。これは、第１の関節運動式部材３０のフィンガ５４の開口６２が、第２の関節運動式部材３４のフィンガ５４の開口６２と整列するように位置付けられることをもたらす。整列された開口６２は、締結具アセンブリ８２を受け取り、第１の関節運動式部材３０および第２の関節運動式部材３４を結合するように構成される。整列された開口６２および／または締結具アセンブリ８２はまた、（図１および図１０に示される）第１の軸６６も画定する。第１の関節運動式部材３０は、第１の軸６６の周りで第２の関節運動式部材３４に対して移動（または回転）するように構成される。同様に、第２の関節運動式部材３４は、第１の軸６６の周りで第１の関節運動式部材３０に対して移動（または回転）するように構成される。
【００２９】
第２の関節運動式部材３４は、同様に、締結具アセンブリ８２によって第３の関節運動式部材３８に結合される。第３の関節運動式部材３８は、第１の端部４６と、第１の端部４６の反対側の第２の端部５０と、中央区分６４とを含む。中央区分６４は、弓状（または曲線状）形状を有する。しかしながら、他の実施形態では、中央区分６４は、直線状であり得る、または、任意の適切な形状を有し得る。締結具アセンブリ８２は、別のヒンジアセンブリ２００を画定するように、第２の関節運動式部材３４および第３の関節運動式部材３８上のフィンガ５４の整列された開口６２によって受け取られる。開口６２は、第２の関節運動式部材３４の第２の端部５０におけるフィンガ５４を第３の関節運動式部材３８の第１の端部５０におけるフィンガ５４と介在させる（または相互噛合する）ことによって、整列される。換言すると、第２の関節運動式部材３４および第３の関節運動式部材３８上のフィンガ５４のうちの一方は、それぞれ、第３の関節運動式部材３８および第２の関節運動式部材３４のうちの他方上の空間５８によって受け取られる。これは、第２の関節運動式部材３４のフィンガ５４の開口６２が、第３の関節運動式部材３８のフィンガ５４の開口６２と整列するように位置付けられることをもたらす。整列された開口６２は、締結具アセンブリ８２を受け取り、第２の関節運動式部材３４および第３の関節運動式部材３８を結合するように構成される。整列された開口６２および／または締結具アセンブリ８２はまた、（図６に示される）第２の軸７０も画定する。第２の関節運動式部材３４は、第２の軸７０の周りで第３の関節運動式部材３８に対して移動（または回転）するように構成される。同様に、第３の関節運動式部材３８は、第２の軸７０の周りで第２の関節運動式部材３４に対して移動（または回転）するように構成される。加えて、第２の軸７０は、第１の軸６６と略平行である。
【００３０】
図３は、ヒンジアセンブリ２００をより詳細に図示する。ヒンジアセンブリ２００は、締結具アセンブリ８２によって第２のヒンジ部材２０８に結合される第１のヒンジ部材２０４を含む。図示される実施形態では、第１のヒンジ部材２０４が、第２の関節運動式部材３４として図示される一方で、第２のヒンジ部材２０８は、第３の関節運動式部材３８として図示される。他の実施形態では、結合されるように構成されるいずれか２つの連続部材は、ヒンジアセンブリ２００を画定するように締結具アセンブリ８２によって接続されるヒンジ部材２０４、２０８であり得る。例えば、ヒンジ部材２０４、２０８は、第１の関節運動式部材３０および第２の関節運動式部材３４、支持ステム１１０および第１の関節運動式部材３０、第３の関節運動式部材３８および玉継手支持体１３４等を含むことができる。
【００３１】
図３〜図５を参照すると、第１のヒンジ部材２０４は、部材２０４の端部４６、５０上に位置付けられる第１の外側フィンガ２１２を含む。第１の外側フィンガ２１２は、締結具アセンブリ８２の一部を受け取るように構成される開口２１６（または第１の開口２１６あるいは第１の外側開口２１６）を画定する。第１の開口２１６の円周は、テーパ状表面２２０（または傾斜表面２２０）を含む。テーパ状表面２２０は、円錐台形断面形状を画定する。より具体的には、図５に示されるように、第１の開口２１６の断面が直径に沿ってとられると、対向テーパ状表面２２０は、角度Θを画定する。角度Θは、約２０度（２０°）〜約４０度（４０°）であり得る。第１の開口２１６は、テーパ状表面２２０に沿ってとられる直径よりも小さい直径を含む出口部分２２４を含む。他の実施形態では、出口部分２２４は、対向テーパ状表面２２０を横断してとられる最小直径（または最短直径）に等しい（またはそれと同程度である、あるいは、それよりも小さい）直径を有することができる。第１の開口２１６のテーパ状表面２２０は、円錐台形断面形状を画定するが、他の実施形態では、第１の開口２１６は、円周の周囲にテーパ状表面２２０を有する幾何学的、偏心、または他の形状を画定することができる。
【００３２】
図５を継続して参照すると、第１の外側フィンガ２１２は、第１のヒンジ部材２０４の対応する端部４６、５０の幅２３２（または厚さ２３２）未満である幅２２８（または厚さ２２８）を含む。第１のヒンジ部材２０４はまた、部材２０４の端部４６、５０上に位置付けられる少なくとも１つの内側フィンガ２３６を含むこともできる。図示される実施形態では、第１のヒンジ部材２０４は、単一の内側フィンガ２３６を含む。しかしながら、他の実施形態では、第１のヒンジ部材２０４は、複数の内側フィンガ２３６を含むことができる、または、第１のヒンジ部材２０４は、いかなる内側フィンガ２３６も含まない（すなわち、外側フィンガ２１２のみを含む）。各内側フィンガ２３６は、次の連続フィンガから離間（またはオフセット）される。図３および５に示されるように、内側フィンガ２３６は、空間２４０によって第１の外側フィンガ２１２から離間される。内側フィンガ２３６は、開口２４４（または内側開口２４４）を画定する。内側開口２４４は、第１の開口２１６の出口部分２２４にほぼ等しい直径を有する。別の言い方をすれば、内側開口２４４の直径は、第１の開口２１６の対向テーパ状表面２２０を横断してとられる最小直径（または最短直径）に等しい（またはそれと同程度である、あるいは、それよりも小さい）直径を有することができる。内側開口２４４は、締結具アセンブリ８２の一部を受け取るように構成される。各内側フィンガ２３６は、それを通して位置付けられる内側開口２４４を含む。
【００３３】
第１のヒンジ部材２０４の図示される実施形態では、ヒンジアセンブリ２００の一部のための構成要素は、第１のヒンジ部材２０４の両端上に位置付けられる。これは、直列での複数のヒンジ部材への関節運動式接続を容易にし、各関節運動式接続は、ヒンジアセンブリ２００によって画定される。１つのヒンジアセンブリ２００のみを組み込む他の実施形態では、第１のヒンジ部材２０４と関連付けられる上記に列挙される構成要素は、ヒンジアセンブリ２００の第１の部分を提供するように、第１のヒンジ部材２０４の１つの端部（または１つの部分）上に位置付けられる。
【００３４】
ヒンジアセンブリ２００の第２の部分は、第２のヒンジ部材２０８上に提供される。第１のヒンジ部材２０４と関連して上記に列挙される構成要素は、同様に、第２のヒンジ部材２０８上に提供されることを理解されたい。
【００３５】
図３および図６〜図７を参照すると、第２のヒンジ部材２０８は、第２の外側フィンガ２４８を含む。第２の外側フィンガ２４８は、部材２０８の端部４６、５０上に位置付けられる。第２の外側フィンガ２４８は、締結具アセンブリ８２の一部を受け取るように構成される開口２５２（または第２の外側開口２５２あるいは第２の開口２５２）を画定する。第２の開口２５２の円周は、テーパ状表面２５６（または傾斜表面２５６）を含む。テーパ状表面２５６は、円錐台形断面形状を画定する。より具体的には、図７に示されるように、第２の開口２５２の断面が直径に沿ってとられると、対向テーパ状表面２５６は、角度Θを画定する。角度Θは、約２０度（２０°）〜約４０度（４０°）であり得る。第２の開口２５２は、テーパ状表面２５６に沿ってとられる直径よりも小さい直径を含む出口部分２６０を含む。他の実施形態では、出口部分２６０は、対向テーパ状表面２５６を横断してとられる最小直径（または最短直径）に等しい（またはそれと同程度である、あるいは、それよりも小さい）直径を有することができる。第２の開口２５２のテーパ状表面２５６は、円錐台形断面形状を画定するが、他の実施形態では、第２の開口２５２は、円周の周囲にテーパ状表面２５６を有する幾何学的、偏心、または他の形状を画定することができる。
【００３６】
図７を継続して参照すると、第２の外側フィンガ２４８は、第２のヒンジ部材２０８の対応する端部４６、５０の幅２６８（または厚さ２６８）未満である幅２６４（または厚さ２６４）を含む。第２のヒンジ部材２０８はまた、部材２０８の端部４６、５０上に位置付けられる少なくとも１つの内側フィンガ２７２を含むこともできる。図示される実施形態では、第２のヒンジ部材２０８は、単一の内側フィンガ２７２を含む。しかしながら、他の実施形態では、第２のヒンジ部材２０８は、複数の内側フィンガ２７２を含むことができる、または、第２のヒンジ部材２０８は、いかなる内側フィンガ２７２も含まない（すなわち、外側フィンガ２４８のみを含む）。各内側フィンガ２７２は、次の連続フィンガから離間（またはオフセット）される。図３および図７に示されるように、内側フィンガ２７２は、空間２７６によって第２の外側フィンガ２４８から離間される。内側フィンガ２７２は、開口２８０（または内側開口２８０）を画定する。内側開口２８０は、第１の開口２５２の出口部分２６０にほぼ等しい直径を有する。別の言い方をすれば、内側開口２８０の直径は、第２の開口２５２の対向テーパ状表面２５６を横断して得られる最小直径（または最短直径）に等しい（またはそれと同程度である、あるいは、それよりも小さい）直径を有することができる。内側開口２８０は、締結具アセンブリ８２の一部を受け取るように構成される。各内側フィンガ２７２は、それを通して位置付けられる内側開口２８０を含む。
【００３７】
第２のヒンジ部材２０８の図示される実施形態では、ヒンジアセンブリ２００の一部のための構成要素は、第２のヒンジ部材２０８の両端上に位置付けられる。これは、直列での複数のヒンジ部材への関節運動式接続を容易にし、各関節運動式接続は、ヒンジアセンブリ２００によって画定される。１つのヒンジアセンブリ２００のみを組み込む他の実施形態では、第２のヒンジ部材２０８と関連付けられる上記に列挙される構成要素は、ヒンジアセンブリ２００の第２の部分を提供するように、第２のヒンジ部材２０８の１つの端部（または１つの部分）上に位置付けられる。
【００３８】
ヒンジアセンブリ２００を形成するために、第１のヒンジ部材２０４および第２のヒンジ部材２０８の外側フィンガ２１２、２４８は、外側開口２１６、２５２が整列されるように整列される。加えて、少なくとも１つの内側フィンガ２３６、２７２を含む実施形態では、フィンガ２１２、２３６、２４８、２７２が、介在（または相互噛合）される。より具体的には、内側フィンガ２３６、２７２は、他のヒンジ部材２０８、２０４の関連付けられる空間２７６、２４０内に受け取られる（または位置付けられる）。したがって、内側開口２４４、２８０は、外側開口２１６、２５２と整列し、締結具アセンブリ８２を受け取るように構成される通路を画定する。ヒンジ部材２０４、２０８が各部材２０４、２０８上に同数のフィンガ２１２、２３６、２４８、２７２を有することを理解されたい。別の言い方をすれば、ヒンジアセンブリ２００は、偶数合計のフィンガ（例えば、２、４、６、８等）を含む。説明しやすくするために、フィンガ２１２、２３６、２４８、２７２はまた、集合的にフィンガ５４と称される一方で、空間２４０、２７６はまた、集合的に空間５８と称される一方で、開口２１６、２４４、２８０、２５２はまた、集合的に開口６２と称されることを理解されたい。
【００３９】
図３を参照すると、締結具アセンブリ８２は、締結具２８４と、第１のハブ２８８（またはメス型部分２８８）と、第２のハブ２９２（またはオス型部分２９２）とを含む。締結具２８４は、ねじ山付き部分２９６と、頭部分３００とを含む。頭部分３００は、工具（例えば、六角レンチ、プラスドライバ等）（図示せず）を受け取るように構成されることができる。他の実施形態では、頭部分３００は、締結具２８４の「工具を必要としない」調節を容易にするようにレバー３００Ａと取り替えられることができる。締結具２８４は、ねじ、または、ハブ２８８、２９２との選択的係合を容易にするための他の適切なねじ山付き部材であり得る。締結具２８４は、ハブ２８８、２９２との係合の前にワッシャ３０４（または係止ワッシャ３０４）によって受け取られてもよい。ワッシャ３０４は、締結具２８４の意図的ではない弛緩の支援を提供することができる。
【００４０】
ここで図８〜図９を参照すると、第１のハブ２８８は、シャフト部分３０８と、テーパ状部分３１２とを含む。テーパ状部分３１２は、第１のハブ２８８の周囲に円周方向に延在し、第１の開口２１６に対する補完的テーパを有する。より具体的には、テーパ状部分３１２は、（図５に示される）第１の開口２１６のテーパ状表面２２０を補完する。別の言い方をすれば、第１のハブ２８８のテーパ状部分３１２は、直径に沿った断面に沿ってとられると、角度Θを画定し、角度Θは、約２０度（２０°）〜約４０度（４０°）である。シャフト部分３０８は、（図５に示される）出口部分２２４を補完する直径を有する。さらに、シャフト部分３０８は、内側開口２４４、２８０を補完する直径を有する。これは、シャフト部分３０８が出口部分２２４と各内側フィンガ２３６、２７２の内側開口２４４、２８０とによって受け取られることを可能にする。図９に示されるように、第１のハブ２８８はまた、第１のハブ２８８を通って延在する通路３１６（またはチャネル３１６）も画定する。通路３１６は、締結具２８４のねじ山付き部分２９６を受け取るように構成される。図示される実施形態では、通路３１６は、ねじ山付き部分２９６に係合するための補完的ねじ山を含まない。他の実施形態では、通路３１６は、ねじ山付き部分２９６に係合するように構成されるねじ山を含むことができる。
【００４１】
第１のハブ２８８はまた、テーパ状部分３１２の反対端上の通路３１６に沿って位置付けられる開口部３２０（または陥凹３２０）も画定する。開口部３２０は、第２のハブ２９２上のキー状突起３２４を受け取るように構成される。突起３２４は、開口部３２０の幾何学形状を補完する幾何学形状を有する。これは、開口部３２０が突起３２４を受け取ることを可能にし、ハブ２８８、２９２を結合する（またはハブ２８８、２９２を相互係止する）一方で、また、第２のハブ２９２に対する第１のハブ２８８（または第１のハブ２８８に対する第２のハブ２９２）の回転を制限する。図示される実施形態では、突起３２４が、正方形を有する一方で、開口部３２０は、補完的正方形を有する。他の実施形態では、突起３２４および開口部３２０は、ハブ２８８、２９２の係合を容易にするため、かつ、相互に対するハブ２８８、２９２の回転を制限するための任意の適切な補完的噛合形状を含むことができる。例えば、突起３２４および開口部３２０は、任意の適切な補完的幾何学的形状（例えば、三角形、長方形、五角形等）、偏心形状、非円形形状、または無作為形状を含むことができる。
【００４２】
図８〜図９に示されるように、第２のハブ２９２はまた、テーパ状部分３２８も含む。テーパ状部分３２８は、第１のハブ２８８の周囲に円周方向に延在し、第２の開口２５２に対する補完的テーパを有する。より具体的には、テーパ状部分３２８は、（図７に示される）第２の開口２５２のテーパ状表面２５６を補完する。別の言い方をすれば、第２のハブ２９２のテーパ状部分３２８は、直径に沿った断面に沿ってとられると、角度Θを画定し、角度Θは、約２０度（２０°）〜約４０度（４０°）である。図９に示されるように、第２のハブ２９２はまた、第２のハブ２９２を通って延在する通路３３２（またはチャネル３３２）も画定する。通路３３２は、締結具２８４のねじ山付き部分２９６を受け取るように構成される。通路３３２は、締結具２８４のねじ山付き部分２９６に係合するための補完的ねじ山を含む。
【００４３】
動作時、ヒンジアセンブリ２００は、対応する外側開口２１６、２５２が整列されるように、第１のヒンジ部材２０４および第２のヒンジ部材２０８の外側フィンガ２１２、２４８を整列させることによって形成される。部材２０４、２０８上に少なくとも１つの内側フィンガ２３６、２７２を有する実施形態では、フィンガ２１２、２３６、２４８、２７２が、介在（または相互噛合もしくは間置）される。より具体的には、第１のヒンジ部材２０４の各内側フィンガ２３６は、第２のヒンジ部材２０８の関連付けられる空間２７６によって受け取られる（またはその中に位置付けられる）。同様に、第２のヒンジ部材２０８の各内側フィンガ２７２は、第１のヒンジ部材２０４の関連付けられる空間２４０によって受け取られる（またはその中に位置付けられる）。内側開口２４４、２８０は、故に、外側開口２１６、２５２と整列し、通路を画定する。締結具アセンブリ８２は、次いで、通路の中に位置付けられる。より具体的には、第１のハブ２８８は、第１のヒンジ部材２０４の第１の外側開口２１６によって受け取られる（またはその中に位置付けられる）。第１のハブ２８８のテーパ状部分３１２は、第１の外側開口２１６の補完的テーパ状表面２２０に係合する。シャフト部分３０８は、出口部分２２４によって受け取られ、内側フィンガ２３６、２７２の任意の内側開口２４４、２８０によっても受け取られる。第２のハブ２９２は、第２のヒンジ部材２０８の第２の外側開口２５２によって受け取られる（またはその中に位置付けられる）。第２のハブ２９２のテーパ状部分３２８は、第２の外側開口２５２の補完的テーパ状表面２５６に係合する。第２のハブ２９２の突起３２４は、第２の外側開口２５２を通って出口部分２６０を通って延在（または退出）する。突起３２４は、次いで、第１のハブ２８８の対応する開口部３２０によって受け取られ、ハブ２８８、２９２を相互係止し、第２のハブ２９２に対する第１のハブ２８８（または第１のハブ２８８に対する第２のハブ２９２）の回転を制限する。締結具２８４は、次いで、接続されたハブ２８８、２９２と螺合係合するように設置される。より具体的には、締結具２８４は、第１のハブ２８８によって受け取られ、ねじ山付き部分２９６は、第１のハブ２８８によって画定される通路３１６によって受け取られる。ねじ山付き部分は、次いで、第２のハブ２９２によって画定される通路３３２によって受け取られる。通路３３２は、ねじ山付き部分２９６に係合するための補完的ねじ山を含む。したがって、（例えば、工具、レバー３００Ａ等による）締結具２８４の回転は、第１のハブ２８８および第２のハブ２９２を圧縮する。さらに、締結具２８４の回転は、外側フィンガ２１２、２４８および内側フィンガ２３６、２７２をともに圧縮する。より具体的には、外側フィンガ２１２、２４８は、ハブ２８８、２９２のテーパ状部分３１２、３２８によって相互に向かって引き寄せられる。第１のハブ２８８および第２のハブ２９２の圧縮は、連続フィンガ２１２、２７２、２３６、２４８の間の空間を最小限にする一方で、また、連続フィンガ２１２、２７２、２３６、２４８の間の摩擦力と係合する。圧縮力（または締め付け力）および摩擦力は、相互に対するヒンジ部材２０４、２０８の移動を限定することをともに支援する。
【００４４】
図３に戻って参照すると、第２の関節運動式部材３４および第３の関節運動式部材３８は、中央区分６４の側面から側方に外向きに延在する突起８６を含む。突起８６は、外側フィンガ５４が部材３４、３８の端部４６、５０に結合される（またはそれと形成あるいは一体的に形成される）場所に対応する関節運動式部材３４、３８の部分に沿って延在する。図示される実施形態では、突起８６は、中央区分６４の両側から延在する。他の実施形態では、突起８６は、中央区分６４の片側のみから延在することができる。突起８６は、関連付けられる部材の強度／剛性を増加させるように提供される。加えて、突起８６は、取り付けられた部材が回転することができる距離を限定する。例えば、第２の関節運動式部材３４が、第３の関節運動式部材３８に対して回転すると、第２の関節運動式部材３４上の突起８６が、第３の関節運動式部材３８の一部と接触し、第２の軸７０の周りのさらなる移動を制限するまで、第２の関節運動式部材３４は、回転し続ける。同様に、第３の関節運動式部材３８が、第２の関節運動式部材３４に対して回転すると、第３の関節運動式部材３８上の突起８６が、第２の関節運動式部材３４の一部と接触し、第２の軸７０の周りのさらなる移動を制限するまで、第３の関節運動式部材３８は、回転し続ける。突起８６は、第１の関節運動式部材３０および／または玉継手アセンブリ２２上に位置付けられることもできる。
【００４５】
図１および図２に図示されるように、関節運動式アーム１４の関節運動式部分２６の第１の端部は、支持ステム１１０を通して高さ調節部材１８に接続される。図２を具体的に参照すると、高さ調節部材１８の上端１１４は、支持ステム１１０の底部上の陥凹（図示せず）を通して延在する。ピン１１８は、支持ステム１１０を高さ調節部材１８に結合する。ピン１１８は、支持ステム１１０の第１の端部１２６上に位置する第１の開口１２２ａ、および、高さ調節部材１８の上端１１４上の第２の開口１２２ｂを通して、延在する。開口１２２ａ、ｂが整列して位置付けられることに応答して、ピン１１８は、開口によって受け取られ、高さ調節部材１８を支持ステムに結合するように構成される。支持ステム１１０はまた、第２の端部１３０から延在するフィンガ５４も含む。支持ステム１１０上のフィンガ５４は、第１の関節運動式部材３０上のフィンガ５４に対応する。換言すると、支持ステム１１０上のフィンガ５４の間の空間５８は、第１の関節運動式部材３０のフィンガ５４のうちの１つを受け取る。同様に、第１の関節運動式部材３０上のフィンガ５４の間の空間５８は、支持ステム１１０のフィンガ５４のうちの１つを受け取る。相互接続されたフィンガ５４は、フィンガ５４上の開口６２を整列させ、（図１および図１１に示される）第３の軸７４およびヒンジアセンブリ２００を画定する。第３の軸７４は、第１の関節運動式部材３０が支持ステム１１０に対して回転することができる回転軸を提供する。第１の部材３０の第１の端部４６上のフィンガ５４および支持ステム１１０の第２の端部１３０上のフィンガ５４は、締結具アセンブリ８２と接続される。第３の軸７４は、第１の軸６６および第２の軸７０と垂直に配向される。
【００４６】
図１および図２を参照すると、関節運動式アーム１４の関節運動式部分２６の第２の端部は、玉継手アセンブリ２２に接続される。玉継手アセンブリ２２は、玉継手支持体１３４と、玉継手１３８とを含む。図２を具体的に参照すると、玉継手１３８は、玉継手支持体１３４の第１の端部１４６から延在するシャフト１４２を受け取るように構成されるレセプタクル（図示せず）を有する。ピン１１８は、玉継手１３８およびシャフト１４２内の整列された開口１２２によって受け取られ、玉継手１３８を玉継手支持体１３４に固定するように構成される。玉継手支持体１３４はまた、玉継手支持体１３４の第２の端部１５０から延在するフィンガ５４を含む。加えて、突起１５４は、玉継手支持体１３４の側面から側方に延在する。図示される実施形態では、第３の関節運動式部材３８の第２の端部５０上のフィンガ５４および玉継手支持体１３４の第２の端部１５０上のフィンガ５４は、個別の開口６２を整列させるように介在（または相互噛合）される。フィンガ５４は、次いで、ヒンジアセンブリ２００を形成するように（図１および図１２に示される）締結具アセンブリ８２と接続される。整列された開口６２および／または締結具アセンブリ８２は、（図１および図１２に示される）第４の軸７８を画定する。第３の関節運動式部材３８および玉継手支持体１３４は、第４の軸７８の周りで相互に対して回転するように構成される（例えば、第３の関節運動式部材３８は、玉継手支持体１３４に対して回転することができ、玉継手支持体１３４は、第３の関節運動式部材３８に対して回転することができる等）。玉継手支持体１３４上の突起１５４は、第３の関節運動式部材３８上の（図８に示される）突起８６と接触し、玉継手アセンブリ２２が第４の軸７８の周りで回転することができる距離（または第３の関節運動式部材３８が第４の軸７８の周りで回転することができる距離）を限定することができる。図１および図１２に図示されるように、第４の軸７８は、第１の軸６６および第２の軸７０と略平行であり得る。したがって、第１の軸６６、第２の軸７０、および第４の軸７８は、第２の関節運動式部材３４、第３の関節運動式部材３８、および玉継手支持体１３４が、それぞれ、第１の方向に沿って（または図１に示されるようなＸ軸に沿って）、および第２の方向に沿って（または図１に示されるようなＹ軸に沿って）移動（または関節運動）することを可能にする。図１および図９に図示されるように、第３の軸７４は、第１の部材３０が第３の方向に沿って（または図１に示されるようなＺ軸に沿って）高さ調節部材１８に対して移動することを可能にする。
【００４７】
図１、図１１、および図１２を参照すると、第３の部材３８を玉継手アセンブリ２２に結合する締結具２８４Ａは、頭部分３００の代わりにレバー３００Ａ（またはハンドル３００Ａ）を含む。レバー３００Ａは、ユーザが、玉継手アセンブリ２２と第３の関節運動式部材３８との間のヒンジアセンブリ２００と関連付けられる締結具アセンブリ８２の締結具２８４ａを選択的に緊締または弛緩することを可能にする。このように、締結具２８４Ａは、レバー１６２を使用する代わりに、アセンブリによって提供される接続を選択的に緊締または弛緩するために工具を必要としないため、「工具を必要としない」締結具である。弛緩されたとき、ユーザは、第３の関節運動式部材３８に対して玉継手アセンブリ２２の位置を調節することができる。関節運動式アーム１４の他の実施形態では、玉継手アセンブリ２２、関節運動式部材３０、３４、３８、および／または高さ調節部材１８は、レバー１６２を含む締結具アセンブリ２８４Ａによって結合され、締結具アセンブリ８２の工具を必要としない調節を提供することができる。
【００４８】
玉継手アセンブリ２２は、頭部支持パッド（図示せず）に接続するように構成される。玉継手１３８は、ソケット（図示せず）によって頭部支持パッド（図示される）内に受け取られる。玉継手１３８は、ソケット内で枢動し、玉継手１３８に対する頭部支持パッドの調節を容易にすることを可能にされる。頭部支持パッド、ソケット、および玉継手１３８は、米国特許出願第１５／４２９，９８７号に開示される頭部支持パッド、ソケット、および玉継手と実質的に同一であり、その内容全体が、参照により、本明細書に援用される。したがって、玉継手アセンブリ２２および関連付けられる玉継手１３８に対する頭部支持パッドの動作および関連付けられる移動は、その中に開示されるものと同一である。
【００４９】
図示される実施形態の動作では、関節運動式頭部支持体１０は、椅子（図示せず）に取り付けられる。関節運動式頭部支持体１０は、ユーザのための頭部支持を提供するために、（図１に示される）Ｘ軸、Ｙ軸およびＺ軸に対して３次元で調節され、椅子（または椅子におけるユーザ）に関連して任意の所望の位置または場所に頭部支持パッドを位置付けるように構成される。
【００５０】
関節運動式アーム１４の位置を調節するために、高さ調節部材１８は、Ｙ軸に沿って所望の高さまで椅子（図示せず）に対して再配置されることができる。例えば、高さ調節部材１８は、Ｙ軸に沿って搭載ブラケット（図示せず）に対して摺動することができる。第１の関節運動式部材３０はまた、高さ調節部材１８に対して再配置されることもできる。例えば、ユーザは、ヒンジアセンブリ２００の締結具アセンブリ８２を弛緩し、第３の軸７４の周りで高さ調節部材１８に対して第１の関節運動式部材３０を回転させ、Ｙ−Ｚ面内で関節運動式部分２６を再配置することができる。第２の関節運動式部材３４は、第１の関節運動式部材３０に対して再配置されることができる。例えば、ユーザは、ヒンジアセンブリ２００の締結具アセンブリ８２を弛緩し、第１の軸６６の周りで第１の関節運動式部材３０に対して第２の関節運動式部材３４を回転させ、Ｘ−Ｙ面内で関節運動式部分２６を再配置することができる。第３の関節運動式部材３８はまた、第２の関節運動式部材３４に対して再配置されることもできる。例えば、ユーザは、ヒンジアセンブリ２００の締結具アセンブリ８２を弛緩し、第２の軸７０の周りで第２の関節運動式部材３４に対して第３の関節運動式部材３８を回転させ、Ｘ−Ｙ面内で関節運動式部分２６を再配置することができる。玉アセンブリ２２はまた、第３の関節運動式部材３８に対して再配置されることもできる。例えば、ユーザは、ヒンジアセンブリ２００の締結具アセンブリ８２を弛緩し、第４の軸７８の周りで第３の関節運動式部材３８に対して玉アセンブリ２２を回転させ、Ｘ−Ｙ面内で玉アセンブリ２２を再配置することができる。頭部支持体（図示せず）は、玉継手１３８に対する頭部支持体の回転によって、Ｘ軸、Ｙ軸、およびＺ軸の周りで調節されることができる。
【００５１】
椅子用の関節運動式頭部支持体１０の１つまたは複数の側面は、ある利点を提供する。例えば、関節運動式頭部支持体は、異なる体形、機能障害（例えば、対麻痺、四肢麻痺等）、疾患および／または障害を含む要因を考慮しながら、（Ｘ軸、Ｙ軸、および／またはＺ軸に沿って）３次元で関節運動式アーム１４および頭部支持パッドの調節を提供し、椅子を使用する異なる個人に頭部支持体を提供する。
【００５２】
加えて、ヒンジアセンブリ２００および関連付けられる締結具アセンブリ８２は、ある利点を提供する。例えば、ヒンジアセンブリ２００および関連付けられる締結具アセンブリ８２は、回転に対する反対方向の抵抗を提供し、緊密な接続を維持する。第１のハブ２８８および第２のハブ２９２は、ねじ山付き部材２８４と係合されたときに相互係止する。相互係止は、ねじ山付き部材２８４の挿入中における第２のハブ２９２の回転を制限する（すなわち、第２のハブ２９２は、ねじ山付き部材２８４が回転するにつれて、回転しない）。加えて、各ハブ２８８、２９２の関連付けられるテーパ状部分３１２、３２８は、個別の外側開口２１６、２５２の関連付けられるテーパ状表面２２０、２５６に摩擦係合する。故に、この摩擦係合は、相互係止されたハブ２８８、２９２と組み合わせて、回転に対する反対方向の抵抗を提供し、接続を維持する。別の言い方をすれば、ヒンジ部材２０４、２０８のうちの１つに回転力を印加するとき、反対のヒンジ部材２０８、２０４上のハブ部材２９２、２８８は、反対のヒンジ部材２０８、２０４上のハブ部材２９２、２８８のテーパ状表面の間の摩擦係合によって回転に対抗する。したがって、反対のヒンジ部材２０８、２０４上のハブ部材２９２、２８８は、反対方向の力を印加し、ヒンジ部材２０４、２０８上の回転力によって回転されているハブ部材２８８、２９２の回転に抵抗する。加えて、ヒンジアセンブリ２００および関連付けられる締結具アセンブリ８２は、向上された強度ならびに締め付け力を提供し、ヒンジアセンブリ２００の選択された位置を維持する。個別のテーパ状表面２２０、２５６に係合するハブ２８８、２９２上のテーパ状部分３１２、３２８によって、外側フィンガ２１２、２４８に、第１のハブ２８８および第２のハブ２９２によって印加される締め付け力、および、連続フィンガ２１２、２７２、２３６、２４８に印加される後続の締め付け力は、ヒンジアセンブリ２００の選択された位置を維持することを支援する。加えて、テーパ状表面２２０、２５６のテーパ角は、有利なこととして、ハブ２８８、２９２と個別の外側フィンガ２１２、２４８との間の摩擦力の平衡を提供する一方で、個別の外側開口２１６、２５２からのハブ２８８、２９２の容易な除去も提供する。さらに、ヒンジアセンブリ２００および関連付けられる締結具アセンブリ８２は、向上された強度特性を提供しながら、迅速かつ容易に位置付けられる、および／または、再配置されることができる。締結具アセンブリ８２（例えば、ハブ２８８、２９２等）から締結具２８４を係合解除することは、他方のヒンジ部材２０８、２０４に対する一方のヒンジ部材２０４、２０８の回転を可能にする。ヒンジ部材２０４、２０８の標的位置または所望の位置（あるいは配向）が達成されると、締結具２８４は、ヒンジ部材２０４、２０８の標的位置または所望の位置を維持するように締結具アセンブリ８２（例えば、ハブ２８８、２９２等）と再係合される。
【００５３】
本発明の付加的特徴および利点は、本開示および以下の請求項に記載される。
【図１】
2022003271.tif 000003
【図２】
2022003271.tif 000004
【図３】
2022003271.tif 000005
【図４】
2022003271.tif 000006
【図５】
2022003271.tif 000007
【図６】
2022003271.tif 000008
【図７】
2022003271.tif 000009
【図８】
2022003271.tif 000010
【図９】
2022003271.tif 000011
【図１０】
2022003271.tif 000012
【図１１】
2022003271.tif 000013
【図１２】
2022003271.tif 000014
【外国語明細書】
2022003271000001.pdf